(57)【要約】【課題】機器の現地確認試験を行う際に、監視制御装置の表示部の通常の操作画面から新たに試験モード用の操作画面に切り替えることで、試験の対象となる機器のみの制御を可能とし、他の現在運転中の機器の誤操作の防止を図った電力系統用監視システムを提供する。【解決手段】機器の確認試験を実施する場合、機器の試験を行うための専用の操作画面に遷移させて機器の確認試験が実施される。この操作画面は、試験機器を選択するため試験機器選択モード画面Ｃと、実際に確認試験を実施する試験モード画面Ｄとで構成される。制御部は、試験モード画面Ｄでは、試験機器選択モード画面Ｃにおいて選択された試験機器のみの操作を可能するように制御し、試験機器選択モード画面Ｃにおいて選択されていない他の運転中の機器は操作できないように制御する。これにより、試験中において他の運転中の機器に対する誤操作を確実に防止できる。【選択図】図６
2009124853.tif 000002
【特許請求の範囲】
【請求項１】
複数の機器と、当該複数の機器を遠隔制御する監視制御装置とが通信手段を介して接続された電力系統監視制御システムであって、
前記監視制御装置は、
前記複数の機器を操作する操作画面を表示する表示部と、
前記表示部に表示された前記操作画面を操作するための操作部と、
前記操作部の操作に基づいて、前記複数の機器を制御する制御部とを備え、
前記制御部は、
前記表示部の前記操作画面に、前記複数の機器の電力系統および前記機器の試験を行うための操作画面に切り替える試験ボタンを表示し、
前記操作部によって前記試験ボタンが選択されたとき、試験機器を選択するための前記電力系統が表示された試験機器選択モード画面に遷移し、
前記試験機器選択モード画面において試験機器が前記操作部によって選択されたときは、前記試験機器選択モード画面において選択された前記試験機器のみの操作を可能とする試験モード画面に遷移させる
ことを特徴とする電力系統監視制御システム。
【請求項２】
前記制御部は、
前記試験モード画面では、前記試験機器選択モード画面において選択されていない前記機器を前記操作部によって操作できないように制御する
ことを特徴する請求項１に記載の電力系統監視制御システム。
【請求項３】
前記制御部は、
前記試験機器選択モード画面で前記操作部によって選択された前記試験機器を、前記試験機器選択モード画面または前記試験モード画面において強調表示させる
ことを特徴とする請求項１に記載の電力系統監視制御システム。
【請求項４】
前記表示部には、前記試験ボタンとは異なる少なくとも１以上の機能ボタンが表示され、
前記制御部は、
前記試験機器選択モード画面または前記試験モード画面において、前記複数の機能ボタンのいずれかが選択されたときには、
前記試験機器選択モード画面または前記試験モード画面から、選択された前記機能ボタンに対応した操作画面に遷移させ、当該操作画面において運転中の前記機器の制御を可能とした
ことを特徴とする請求項１に記載の電力系統監視制御システム。
【請求項５】
前記監視制御装置は下位監視制御装置として機能し、
前記下位監視制御装置を監視および／または制御する上位監視制御装置をさらに備え、
前記下位監視制御装置の前記制御部は、
前記上位監視制御装置の表示部に表示された、前記下位監視制御装置の前記操作画面に表示される前記試験ボタンのロックを解除する解除ボタンが選択されたときにのみ、前記下位監視制御装置の前記表示部に表示される前記試験ボタンを選択可能とする
ことを特徴とする請求項１に記載の電力系統監視制御システム。
【発明の詳細な説明】
【技術分野】
【０００１】
本願発明は、電力系統監視制御システムに関する。詳細には、機器の確認試験をする際に、監視制御装置の表示部の操作画面を試験モード用の操作画面に切り替えることで、試験の対象となる機器のみの制御を可能とし、他の運転中の機器の誤操作の防止を図った電力系統用監視システムに関する。
【背景技術】
【０００２】
従来から、安定した電力を継続的に工場や家庭に供給するために、担当区域内に設置される発電所・変電所を遠隔から監視・制御する電力系統監視制御システムが広く導入されている。この電力系統用監視システムは、発電所・変電所等の複数の機器と、これらを遠隔監視・制御する監視制御装置とがネットワークを介して接続されて構成される。そして、監視制御装置は、ディスプレイに表示される操作画面をマウス等の操作部によって操作することで、例えば、遠隔の機器の電圧・周波数等の監視や各機器のスイッチ等の切り替えの制御を行っている。
【０００３】
ところで、上述した電力系統監視制御システムでは、発電所・変電所等の設備の機器の安全性の確保や機器の故障などにより、機器の取り替えや点検などが行われる。このとき、監視制御装置側では、取り替えや点検を行った機器が正常に動作するか否かの現地確認試験を実施している（特許文献１および２参照）。
【０００４】
確認試験では、監視制御装置のディスプレイの操作画面に表示される電力系統図で試験対象となる機器を選択することで機器を特定して行うが、ディスプレイの操作画面には現在運転中の機器も同時に表示される。そのため、電力系統監視制御システムでは、確認試験を実施する際に、同一画面中に表示される運転中の機器の誤操作を回避するための方法が採用される。例えば、試験の対象外となる運転中の機器には操作禁止マークを設定することで運転中の機器の操作できないようにしたり、運転中の機器を網掛け表示（強調表示）することで視覚的に運転中の機器であることを認識させる方法が利用されている。
【０００５】
【特許文献１】特開平５−８３８８６号公報
【特許文献２】特開２００３−２９８１７号公報
【発明の開示】
【発明が解決しようとする課題】
【０００６】
しかしながら、上述した方法では、以下の問題がある。
（１）操作禁止マークを設定する方法では、機器毎に操作禁止マークを設定しなければならないため、運転中の機器が多数の場合にはその機器の個数分だけ時間を要するという問題がある。
（２）網掛け表示する方法では、視覚的なアピールのみで、実際には網掛け部分の機器の選択は可能であるため、試験対象以外の機器の誤動作を回避するといった根本的な問題の解決には至っていない。
（３）確認試験中において運転中の機器に事故が発生した場合、上述した方法では、操作禁止マークや網掛けの設定を解除しなければならず、事故が発生した機器の復旧操作に取りかかれないという問題がある。また、機器に事故が発生した場合には、例えば操作画面中の機器を点灯させたりすることでオペレータに告知するが、網掛け設定にすると網掛け表示と点灯表示とが重なってしまい、事故機器の発見、特定が遅れてしまうという問題もある。
（４）上述した方法では、上司はオペレータが他の運転中の機器を誤って操作しないかを対象機器の試験が終了するまで、逐次監視、確認しながら行う必要がある。従って、確認試験を常に２人で行う必要があり、作業負担が大きいという問題がある。
【０００７】
本願発明は、上記課題に鑑みてなされたものであり、その目的は、機器の現地確認試験を行う際に、監視制御装置の表示部の通常の操作画面から新たに試験モード用の操作画面に切り替えることで、試験の対象となる機器のみの制御を可能とし、他の現在運転中の機器の誤操作の防止を図った電力系統用監視システムを提供することにある。
【課題を解決するための手段】
【０００８】
本発明の電力系統監視制御システムは、上記課題を解決するために、複数の機器と、当該複数の機器を遠隔制御する監視制御装置とが通信手段を介して接続された電力系統監視制御システムであって、前記監視制御装置は、前記複数の機器を操作する操作画面を表示する表示部と、前記表示部に表示された前記操作画面を操作するための操作部と、前記操作部の操作に基づいて、前記複数の機器を制御する制御部とを備え、前記制御部は、前記表示部の前記操作画面に、前記複数の機器の電力系統および前記機器の試験を行うための操作画面に切り替える試験ボタンを表示し、前記操作部によって前記試験ボタンが選択されたとき、試験機器を選択するための前記電力系統が表示された試験機器選択モード画面に遷移させ、前記試験機器選択モード画面において試験機器が前記操作部によって選択されたときには、前記試験機器選択モード画面において選択された前記試験機器のみの操作を可能とする試験モード画面に遷移させることを特徴とする。
【０００９】
表示部の操作画面には、試験ボタンの他に、監視ボタン、制御ボタン、事故ボタン、記録ボタンなどの種々の機能ボタンを表示することができる。
【００１０】
本発明では、機器の確認試験を実施する場合、機器の試験を行うための専用の操作画面に切り替えて機器の確認試験が実施される。この操作画面は、試験機器を選択するため試験機器選択モード画面と、実際に確認試験を実施する試験モード画面とで構成される。制御部は、試験モード画面では、試験機器選択モード画面において選択された試験機器のみの操作を可能するように制御し、試験機器選択モード画面において選択されていない他の運転中の機器は操作できないように制御する。
【発明の効果】
【００１１】
本発明によれば、機器の確認試験を実施する場合には、操作画面を試験機器選択モード画面および試験モード画面に遷移させ、試験モード画面では、試験機器選択モード画面において選択された試験機器のみ操作可能であるため、他の運転中の機器に対する誤操作を確実に防止できる。
【発明を実施するための最良の形態】
【００１２】
以下、本発明の実施形態につき、図面を参照して説明する。
図１は、本発明の一実施形態に係る電力系統監視制御システム１００の概略構成を示す図である。図２は、下位監視制御装置１０の構成を示すブロック図である。図３は、上位監視制御装置３０の構成を示すブロック図である。
【００１３】
電力系統監視制御システム１００は、図１に示すように、担当区域内に建設された発電所５４、変電所５６、ダム５８などの各設備において使用される断路器、開閉器または遮断器などの機器１２０を、遠方から遠隔監視制御装置１１０によって監視・遠隔制御して安定して電力供給を図るシステムである。この電力系統監視制御システム１００は、発電所５４、変電所５６、ダム５８等の電力系統設備の機器１２０と、これらを遠隔監視、制御する遠隔監視制御装置１１０とがネットワーク５０を介して接続される。電力系統設備とネットワーク５０との間にはサーバとして機能する中継用制御装置５２が設けられる。
【００１４】
遠隔監視制御装置１１０は、実施卓に設けられた下位監視制御装置１０とこの下位監視制御装置１０で行われる操作を主に監視する当直長卓（上位卓）に設けられた上位監視制御装置３０とで構成される。本例では、下位監視制御装置１０側で発電所５４等の設備の機器１２０の監視、制御が行われるものとする。また、下位監視制御装置１０は実際には複数台設置されるが、本例ではそのうちの１台について操作する場合を説明する。
【００１５】
下位監視制御装置１０は、図２に示すように、ネットワーク５０を介して接続された機器１２０を遠隔制御するための操作画面を表示する表示部１６と、この表示部１６に表示された操作画面を操作するための操作部（ソフトキー操作部）１８と、操作部１８の操作に基づいて複数の機器１２０を制御する制御部１４とを備えている。
【００１６】
表示部１６は、出入力インタフェース部２８を介してバス８０に接続される。表示部１６は、液晶表示装置などで構成される。この表示部１６は、制御部１４から供給される画像信号に基づいて表示動作を行い、表示部１６に機器１２０を監視・制御するための操作画面を表示する。操作画面の構成については後述する。
【００１７】
操作部１８は、例えばキーボードやマウスで構成され、出入力インタフェース部２８を介してバス８０に接続されている。操作部１８では、表示部１６の操作画面を操作、選択して操作信号を制御部１４に供給する。
【００１８】
制御部１４は、操作信号や機器１２０からの信号に基づいて、表示制御や機器１２０などの制御を行う。また、制御部１４は、ＣＰＵ(Central Processing Unit)２０と、ＲＯＭ(read only memory)２２と、ＲＡＭ(random access memory)２４とを有し、これらはバス８０に接続されている。ＣＰＵ２０は、ＲＯＭ２２に記憶されているプログラムを実行して、下位監視制御装置１０自身が所望の動作となるように各部の制御を行う。ＲＯＭ２２は、下位監視制御装置１０を動作させるための各種のプログラムや処理に必要なデータなどが記録されたものである。本例では、ＲＯＭ２２や図示しないＨＤＤ(Hard Disk Drive)などの記録装置には、後述する各制御モード（監視、試験など）に対応した画面データが記録される。ＲＡＭ２４は、ＣＰＵ２０で各種の処理を行うときに得られたデータを一時的に記憶保持するなど、主に各種の処理の作業領域として用いられるものである。
【００１９】
また、バス８０には、スピーカ８２と通信インタフェース部２６とがそれぞれ接続されている。
【００２０】
スピーカ８２は、制御部１４を介して供給された操作部１８の操作に基づく音声信号を出力する。本例では、後述するように、試験モードが終了したときなどに、ブザー音や案内音を出力し、上位監視制御装置３０を操作する上長に対して試験モードの終了を告知する。
【００２１】
通信インタフェース部２６は、操作部１８の操作に基づく操作信号を、所定の通信プロトコルに準拠した信号に変換する。この変換後の信号に送信する機器１２０のアドレス等を付加し、通信信号としてネットワーク５０を介して中継用制御装置５２に送信する。また、通信インタフェース部２６は、ネットワーク５０を介して中継用制御装置５２から供給された機器１２０に対応した通信信号に基づく操作信号を制御部１４に供給する。
【００２２】
上位監視制御装置３０は、図３に示すように、上述した下位監視制御装置１０と同一の構成であり、表示部３４、操作部３６、制御部３２を有し、これらはバス７８に接続される。バス７８には、出入力インタフェース部４６を介してスピーカ８４および通信インタフェース部４４が接続される。制御部３２は、ＣＰＵ３８、ＲＯＭ４０およびＲＡＭ４２で構成される。
【００２３】
図１に戻り、中継用制御装置５２は、ネットワーク５０を介して送信された通信信号を操作信号に変換し、この操作信号を変電所５６，発電所５４，ダム５８などのそれぞれの設備に設置されている機器１２０に供給する。操作信号には、各機器１２０の入／切を制御する操作情報等が含まれる。
【００２４】
変電所５６などの各設備の機器１２０では、中継用制御装置５２を介して下位監視制御装置１０から供給される操作信号に基づいて、所定の制御が行われる。また、各機器１２０には、センサや監視モニターなどの検出装置が設けられる。検出装置では、例えば、各機器１２０の異常を検出したときの異常情報や各機器１２０の監視データ等を下位監視制御装置１０に送信する。
【００２５】
次に、上述した下位監視制御装置１０の表示部１６に表示される操作画面Ｇの構成について説明する。図４は、表示部１６に表示される操作画面の構成例を示す図である。なお、図４では、表示部１６の操作画面を便宜上簡略化して示している。
【００２６】
操作画面（スケルトン画面）Ｇは、図４に示すように、画面の略全体に表示される電力系統図９２と、画面の上部および下部に表示される機能ボタンとで主として構成される。電力系統図９２はある変電所の例を示す。
【００２７】
電力系統図９２は、複数の機器１２０をシンボル化して表示したものであり、これを選択（クリック）し、入または切ボタンを押すことで、機器１２０の所定の制御を行うことができる。電力系統図９２は、例えば、断路器７６、接地開閉器７４および遮断器（電流遮断器）７２、変圧器７７などが配線７５を介して接続されて構成される。
【００２８】
操作部を構成する機能ボタンは、本例では、画面上部に表示される監視ボタン６２、制御ボタン６４および試験ボタン６６と、画面下部に表示される縮小ボタン８６、拡大ボタン８８および終了ボタン９０とで構成される。例えば、監視ボタン６２は、表示部１６の画面を監視モード画面に切り替えるためのボタンであり、この監視モード画面では電力系統の電圧、周波数などの監視や電力設備の運転状況・事故の表示を行う。試験ボタン６６は、表示部１６の画面を試験機器選択モード画面に切り替えるためのボタンであり、試験機器選択モード画面では試験機器の選択を行い、試験モード画面では選択した試験機器の確認試験を行う。このように、各機能ボタンを選択することで、それぞれの機能に応じた操作画面に遷移し、各操作画面で所定の制御が行われる。
【００２９】
次に、上述した下位監視制御装置１０の表示部１６の操作画面Ｇで機器１２０の試験を実施する場合の下位監視制御装置１０の動作について説明する。
【００３０】
図５は、機器１２０の確認試験を行うときの下位監視制御装置１０の動作を示すフローチャートである。図６は、下位監視制御装置１０の表示部１６に表示される操作画面の遷移状態を示す図である。図７は、上位監視制御装置３０の表示部３４に表示される監視モード画面Ａの構成を示す図である。図８は、下位監視制御装置１０の表示部１６に表示される監視モード画面Ｂの構成を示す図である。図９は、下位監視制御装置１０の表示部１６に表示される試験機器選択モード画面Ｃの構成を示す図である。図１０は、試験モード画面Ｄの構成を示す図である。なお、以下では、下位監視制御装置１０および上位監視制御装置３０の初期（通常）画面は、監視モード画面である例を示す。
【００３１】
まず、図６を参照して状態遷移を説明する。
（１）下位監視制御装置１０側に表示された監視モード画面Ｂの状態で上位監視制御装置３０に対し解除要求を行う。
（２）上位監視制御装置３０側から解除の指示があると、監視モード画面Ｂまたは制御モード画面Ｅから試験機器選択モード画面Ｃに遷移できる。
（３）監視モード画面Ｂの状態で、試験ボタンを押すと、試験機器選択モード画面Ｃに遷移する。
（４）試験機器選択モード画面Ｃの状態で、選択完了ボタンを押すと、試験モード画面Ｄに遷移する。
（５）各モード画面から遷移できるモード画面を矢印で示す。それぞれのモードに遷移するには、対応するボタンを操作する。どのモード画面からも監視モード画面Ｂまたは制御モード画面Ｅに直接遷移できる。
【００３２】
各モード画面の状態のとき、電力系統に異常が発生した場合には、まず、監視モード画面Ｂに遷移して、事故機器を確認した後、制御モード画面Ｅに遷移する。これで、実際の事故に対する復旧操作を実行できる。これにより、試験中においても迅速に事故機器の把握・特定と復旧操作が可能となる。
【００３３】
続いて、具体例を説明する。
まず、機器１２０の試験を実施する場合、予め、試験機器が設置された区間を停電させる必要がある。本例では、後述する電力系統図中の破線領域Ｓ（図９（Ｂ）参照）の機器１２０の試験を実施するため、図８で示す監視モード画面Ｂ中の遮断器７２ｂ，７２ｃ，７２ｄを切り状態とする。この作業は、図５に示すフローチャートでステップＳ１４の前までに行えば良い。
【００３４】
下位監視制御装置１０で取り替え等を行った機器１２０の現地確認試験を行う場合、表示部１６の監視モード画面Ｂ中の試験ボタン６６を選択するが、この試験ボタン６６は、上位卓の上位監視制御装置３０の解除操作が無ければ選択することができないようにロックされている。
【００３５】
そこで、まず、下位監視制御装置１０は、上位卓の上位監視制御装置３０に対して試験ボタン６６のロックの解除を要求する（ステップＳ１０、図６のＢ−Ａ）。解除操作の要求は、ブザー音、案内音声や上位監視制御装置３０に信号を送信して表示部１６に解除要求のダイヤログを表示させても良い。解除要求を行うには、例えば、操作画面中に試験ボタン６６の解除要求ボタン（図示はしない）を設け、この解除要求ボタンを選択することにより行うことが好ましい。もちろん、下位監視制御装置１０の操作者が上位監視制御装置３０の操作者に対して直接要求しても良い。
【００３６】
図７に示すように、上位監視制御装置３０の表示部１６に表示される監視モード画面Ａの下部には例えば試験ボタン６６を選択可能にする解除ボタン６８が設けられる。上位監視制御装置３０では、下位監視制御装置１０からの試験ボタン６６のロック解除要求に基づいて、解除ボタン６８が選択される。
【００３７】
ステップＳ１２で下位監視制御装置１０の制御部１４は、上位監視制御装置３０で解除ボタン６８が選択されたか否かを判断する。これは、上位監視制御装置３０から解除信号が供給されたか否かによって判断できる。解除ボタン６８が選択されたと判断したときには、試験ボタン６６のロックを解除し、監視モード画面Ｂ中の試験ボタン６６が選択できるように制御する（図８参照）。このとき、監視モード画面Ｂにロックが解除されたことを告知するダイヤログを表示しても良いし、ブザー音や案内音声よってロックの解除を告知しても良い。さらに、操作画面の試験ボタン６６の色を強調表示させても良いし、下位監視制御装置１０やこの周辺に設置されたＬＥＤを点灯させて告知しても良い。
【００３８】
一方、制御部１４は、解除ボタン６８が選択されていないと判断したときには、ステップＳ１０に戻り、再度、上位監視制御装置３０側に解除要求をする。
【００３９】
ステップＳ１４で制御部１４は、監視モード画面Ｂで試験ボタン６６が選択されたか否かを判断する。制御部１４は、監視モード画面Ｂの試験ボタン６６が選択されたと判断したときには、ステップＳ１６に進む。一方、試験ボタン６６以外の制御ボタン６４が選択された場合には、ステップＳ３０に進み、再度試験ボタンをロックし、選択した機能ボタンに応じた操作画面に遷移する（ステップＳ３２）。例えば、監視モード画面Ｂで制御ボタン６４が選択されたときには、監視モード画面Ｂから制御モード画面Ｅに遷移させる（図６のＢ−Ｅ参照）。なお、監視モードのままの状態で監視を行う場合には、例えば、一定の時間が経過した後、ステップＳ３０に進み試験ボタンがロックされるように制御しても良い。
【００４０】
ステップＳ１６で制御部１４は、監視モード画面Ｂを試験機器選択モード画面Ｃに切り替えて表示する（図６のＢ−Ｃ参照）。試験機器選択モード画面Ｃは、試験機器を選択するための画面であり、図９に示すように、試験ボタン６６が強調表示され、操作画面の下部に機器１２０の選択終了の際に選択する選択完了ボタン７０が表示される。さらに、操作画面の右上に試験機器選択モードの文字が表示され、容易に試験機器選択モードに遷移したことを確認できる。
【００４１】
ステップＳ１８では、試験機器選択モード画面Ｃにおいて試験機器を操作部１８により選択（クリックや範囲指定）する。本例では、図９に示すように、試験機器選択モード画面Ｃの電力系統図９２中のこの例では断路器７６、接地開閉器７４および遮断器７２の機器１２０を選択する。操作部１８によってこれらの機器１２０が選択されると、制御部１４は、断路器７６、接地開閉器７４および遮断器７２を他の機器１２０とは異なる色に強調表示し、例えば、試験対象となる機器１２０を灰色に表示し、他の機器を黒色に表示する。試験対象の機器１２０と他の機器とが視覚的に区別できる。試験機器選択モード画面Ｃでの試験機器の選択中、上位監視制御装置３０を操作する当直長は、誤操作を防止するため、下位監視制御装置１０側の試験機器の選択を遂次監視・確認する。なお、この試験機器選択モード画面Ｃでは、制御部１４は、試験機器の選択のみの操作を可能とし、機器１２０の制御等は操作できないように制御する。
【００４２】
ステップＳ２０で制御部１４は、試験機器選択モード画面Ｃで他の監視ボタン６２などが選択されたか否かを判断する。他の機能ボタンが選択されたと判断したときには、ステップＳ３０に進み、上述したように試験ボタン６６がロックされる。例えば、試験機器選択モード画面Ｃで監視ボタン６２が選択されたときには、試験機器選択モード画面Ｃから監視モード画面Ｂに遷移させる（図６のＣ−Ｂ参照）。制御ボタン６４が選択されたときには、試験機器選択モード画面Ｃから制御モード画面Ｅに遷移させる（図６のＣ−Ｅ参照）。
【００４３】
ステップＳ２２で制御部１４は、試験機器選択モード画面Ｃで選択完了ボタン７０が選択されたか否かを判断する。試験機器の選択完了ボタン７０が選択されたときには、試験機器の選択が完了したと判断してステップＳ２４に進む。
【００４４】
ステップＳ２４で制御部１４は、試験機器選択モード画面Ｃを試験モード画面Ｄに切り替えて表示する（図６のＣ−Ｄ参照）。試験モード画面Ｄは、試験機器に対して確認試験を行うための画面であり、図１０に示すように、試験ボタン６６が強調表示され、操作画面右上に試験モードの文字が表示される。このとき、試験機器選択モード画面Ｃで選択された試験機器と、選択されていない機器との表示色を反転させて表示しても良い。この試験モード画面Ｄでは、制御部１４は、試験モード画面Ｄで表示される電力系統図９２の運転中の機器１２０上に操作部１８のカーソルが位置してもこの機器１２０を選択できないように制御したり、仮に操作部１８によって運転中の機器１２０が選択できたとしても試験機器選択モード画面Ｃにおいて選択されていない機器１２０の信号は無効にするように制御する。この制御は、ソフトウエアやハードウエアによって構築できる。このようにして、試験モード画面Ｄでは、試験機器選択モード画面Ｃで選択されていない機器１２０の選択、操作はできず、試験機器選択モード画面Ｃで選択された試験機器のみ操作することが可能となる。
【００４５】
ステップＳ２６では、実際に選択した試験機器に対して確認試験が実施される。確認試験を実施する際には、下位監視制御装置１０のオペレータが現地の作業員に電話にて試験を行う旨を通知する。
【００４６】
ステップＳ２８で制御部１４は、試験モード画面Ｄで監視ボタン６２などの他の機能ボタンまたは終了ボタン９０が選択されたか否かを判断する。他の機能ボタンが選択されないときには、確認試験が続行される。一方、他の機能ボタンまたは終了ボタン９０が選択されたときには、ステップＳ３０に進む。例えば、試験モード画面Ｄで監視ボタン６２が選択されたときには、試験モード画面Ｄから監視モード画面Ｂに遷移させる（図６のＤ−Ｂ参照）。制御ボタン６４が選択されたときには、試験モード画面Ｄから制御モード画面Ｅに遷移させる（図６のＤ−Ｅ参照）。
【００４７】
試験モード画面Ｄから他の画面に一旦遷移すると、制御部１４は各操作画面に表示される試験ボタン６６を再度ロックし、試験ボタン６６を選択できないように制御する（ステップＳ３０）。従って、再度、機器１２０の確認試験を行いたい場合（ステップＳ３４）には、ステップＳ１０まで戻り、上位監視制御装置３０に対して試験ボタン６６のロック解除を要求しなければならない。
【００４８】
以上説明したように、本実施の形態によれば、試験モード画面Ｄにおいては、他の運転中の機器１２０を選択、操作することができないように制御されるため、誤操作を確実に防止できる。
【００４９】
また、本実施の形態では、試験モード中に、他の運転中の機器１２０に事故が発生した場合でも、試験機器選択モード画面または試験モード画面で他の機能ボタンなどを選択することで試験モードから事故に対応した操作画面に直ちに遷移する。そのため、事故が発生した機器１２０に対して直ちに所定の制御を行える。従って、迅速な事故対応が可能となり、復旧時間の遅延を回避できる。
【００５０】
また、確認試験を実施する下位監視制御装置１０の画面操作は、他の下位監視制御装置１０には反映されないため、機器１２０に事故が発生した場合には、他の下位監視制御装置１０から事故機器１２０を制御することもできる。
【００５１】
さらに、本実施の形態では、試験モード（試験機器選択モード画面Ｃ、試験モード画面Ｄ）に遷移するためには、上位卓の上位監視制御装置３０による試験ボタン６６のロック解除が必要になる。そのため、試験モードへの遷移を必ず当直長が把握でき、例えば、オペレータ単独での確認試験の実施による誤操作を防止できる。さらに、試験モード画面Ｄでは他の運転中の機器１２０の操作はできないため、当直長は試験対象機器の選択（試験機器選択モード画面Ｃ）まで確認すれば、その後はオペレータ一人でも試験対応が可能となる。従って、当直長は、他の作業を行うことができ、作業の効率化を図ることができる。
【００５２】
なお、本発明の技術範囲は、上述した実施形態に限定されるものではなく、本発明の趣旨を逸脱しない範囲において、上述した実施形態に種々の変更を加えたものを含む。
【図面の簡単な説明】
【００５３】
【図１】本発明の一実施形態に係る電力系統監視制御システムの概略構成を示す図である。
【図２】下位監視制御装置の構成を示すブロック図である。
【図３】上位監視制御装置の構成を示すブロック図である。
【図４】操作画面の構成を示す図である。
【図５】機器の確認試験時の下位監視制御装置の動作を示すフローチャートである。
【図６】操作画面の遷移状態を示す図である。
【図７】上位監視制御装置の監視モード画面の構成を示す図である。
【図８】下位監視制御装置の監視モード画面の構成を示す図である。
【図９】試験機器選択モード画面の構成を示す図である。
【図１０】試験モード画面の構成を示す図である。
【符号の説明】
【００５４】
１０…下位監視制御装置、  １４…制御部、  １６…表示部、  １８…操作部、  ３０…上位監視制御装置、  ５０…ネットワーク、  ５４…発電所、  ５６…変電所、  ５８…ダム、  ６２…監視ボタン、  ６４…制御（操作）ボタン、  ６６…試験ボタン、  ６８…解除ボタン、  ７０…選択完了ボタン、  ７２…遮断器、  ７４…接地開閉器、  ７６…断路器、  ９２…電力系統図、  １００…電力系統監視制御システム、  １１０…遠隔監視制御装置、  １２０…機器、  Ｃ…試験機器選択モード画面、  Ｄ…試験モード画面
【図１】
2009124853.tif 000003
【図２】
2009124853.tif 000004
【図３】
2009124853.tif 000005
【図４】
2009124853.tif 000006
【図５】
2009124853.tif 000007
【図６】
2009124853.tif 000008
【図７】
2009124853.tif 000009
【図８】
2009124853.tif 000010
【図９】
2009124853.tif 000011
【図１０】
2009124853.tif 000012